(57)【要約】  【課題】  掘削孔に充填した充填材の強度発現前に、掘削孔に補強芯材を挿入して構築される山留め壁を、建物の水平抵抗材として設計に取り込む場合に好適な経済的な山留め壁の補強方法を提供する。  【解決手段】  掘削孔１に充填した充填材の強度発現前に、掘削孔に補強芯材２を挿入して構築される山留め壁Ａの鉛直方向における複数部位のうち、水平抵抗が要求される部位に高強度充填材３ｂを用い、一般部には低強度充填材３ａを用いて、水平抵抗が要求される部位の剛性を上げる山留め壁Ａの補強方法であり、掘削孔１の底部から低強度充填材３ａ、高強度充填材３ｂ、低強度充填材３ａの順に充填し、これらの充填材の強度発現前に補強芯材２を挿入する。  【選択図】  図１
2005282043.tif 000002
【特許請求の範囲】
【請求項１】
掘削孔に充填した充填材の強度発現前に、掘削孔に補強芯材を挿入して構築される山留め壁の鉛直方向における複数部位のうち、水平抵抗が要求される部位に高強度充填材を用い、一般部には低強度充填材を用いて、水平抵抗が要求される部位の剛性を上げることを特徴とする山留め壁の補強方法。
【請求項２】
掘削孔の底部から低強度充填材、高強度充填材、低強度充填材の順に充填し、これらの充填材の強度発現前に補強芯材を挿入して、水平抵抗が要求される部位の剛性を上げることを特徴とする山留め壁の補強方法。
【請求項３】
低強度充填材が通常のソイルセメントであり、高強度充填材が高強度ソイルセメントである請求項１又は２に記載の山留め壁の補強方法。
【請求項４】
低強度充填材が通常のソイルセメントであり、高強度充填材がコンクリートである請求項１又は２に記載の山留め壁の補強方法。
【請求項５】
コンクリートを充填した部位がＳＲＣ造である請求項４に記載の山留め壁の補強方法。
【発明の詳細な説明】
【技術分野】
【０００１】
本発明は、山留め壁の補強方法に関し、詳しくは、掘削孔に充填した充填材の強度発現前に、掘削孔に補強芯材を挿入して構築される山留め壁を、建物の水平抵抗材として設計に取り込む場合に好適な山留め壁の補強方法に関する。
【背景技術】
【０００２】
ソイルセメント柱列山留め壁の水平力に対する補強を行う方法としては、特許文献１に見られるように、機械攪拌により深層地盤改良体である底盤改良部を造成し、その外周にラップしてソイルセメント柱列を造成し、ソイルセメント柱列の強度発現前に補強芯材を挿入し、場所打ち杭などの支持杭が施工される空間（底盤改良部が造成されない部分）に面したソイルセメント柱列の補強芯材と補強芯材との間に剪断補強材を挿入する方法、特許文献２に見られるように、ソイルセメント柱列にＨ型鋼（補強芯材）を、Ｈ型鋼の強軸方向がソイルセメント柱列山留め壁の面と平行になるように挿入する一方、Ｈ型鋼の地盤掘削側の面にシアコッタを形成して、建物の躯体と構造的に一体化する方法、特許文献３に見られるように、深度の浅い外周山留め壁と、その内側に所定の間隙を隔てて深度の深い深い内周山留め壁とを施工し、外周山留め壁と内周山留め壁との間を外周部の床付け面まで掘削し、外周山留め壁の脚部から内周山留め壁の頭部までの間に必要厚のコンクリートを打設して、水平ＲＣ梁を構築し、内周山留め壁の内側地盤を所定深度まで掘削する方法などが知られている。
【０００３】
しかしながら、これらの方法では、従来の一般的なソイルセメント柱列山留め壁と同様に、山留め壁の鉛直方向における充填材強度や補強芯材強度が均一であり、地震時に水平力（曲げモーメント）が大きく作用する部位が、杭頭部（建物の底盤レベル）と地中部中央部であることを考え合わせると、不経済である。
【０００４】
【特許文献１】特開平７−３０５３３７号公報
【特許文献２】特許第３０６３６７３号公報
【特許文献３】特許第２５７０５６６号公報
【発明の開示】
【発明が解決しようとする課題】
【０００５】
本発明は、上記の事柄に留意してなされたもので、その目的とするところは、掘削孔に充填した充填材の強度発現前に、掘削孔に補強芯材を挿入して構築される山留め壁を、建物の水平抵抗材として設計に取り込む場合に好適な経済的な山留め壁の補強方法を提供することにある。
【課題を解決するための手段】
【０００６】
上記の目的を達成するために、本発明が講じた技術的手段は、次のとおりである。即ち本発明は、掘削孔に充填した充填材の強度発現前に、掘削孔に補強芯材を挿入して構築される山留め壁の鉛直方向における複数部位のうち、水平抵抗が要求される部位に高強度充填材を用い、一般部には低強度充填材を用いて、水平抵抗が要求される部位の剛性を上げることを特徴としている（請求項１）。
【０００７】
具体的には、請求項２に記載のように、掘削孔の底部から低強度充填材、高強度充填材、低強度充填材の順に充填し、これらの充填材の強度発現前に補強芯材を挿入して、水平抵抗が要求される部位の剛性を上げることを特徴としている。
【０００８】
尚、請求項１又は２に記載の山留め壁の補強方法において、低強度充填材としては、例えば通常のソイルセメントが用いられ、高強度充填材としては、例えば高強度ソイルセメント（請求項３）やコンクリート（請求項４）などが用いられる。請求項４に記載のように、高強度充填材としてコンクリートを用いる場合、当該コンクリートにだけ補強鉄筋を埋設して、当該補強鉄筋と、通常のソイルセメントとコンクリートとにわたって挿入された補強芯材としてのＨ型鋼とによりコンクリートを補強したＳＲＣ造としてもよい（請求項５）。
【発明の効果】
【０００９】
請求項１に記載の発明によれば、山留め壁の鉛直方向における複数部位のうち、水平抵抗が要求される部位にだけ高強度充填材を用い、一般部には低強度充填材を用いて、水平抵抗が要求される部位の剛性を上げるので、山留め壁の鉛直方向における充填材強度や補強芯材強度を均一に増大させて、水平抵抗が要求される部位の剛性を上げる場合に比べて資材の無駄がなく、経済的である。
【００１０】
従って、山留め壁を建物の水平抵抗材として考慮した経済的な設計が可能となり、山留め壁の内側に、建物の杭基礎となる場所打ち杭を造成する場合には、杭の鉄筋量の低減が可能となり、ＰＣ杭を打設する場合には、杭種の変更（例えばＣ種からＢ種への変更）が可能になる。
【００１１】
請求項２に記載の発明によれば、山留め壁の構築後、山留め壁の内側地盤を高強度充填材の深度まで掘削して、建物を構築することにより、請求項１に記載の発明と同じ結果となる。即ち、地震時に水平力（曲げモーメント）が大きく作用する建物の底盤レベルと地中部中央部の断面性能（剛性）が効果的に向上し、山留め壁の鉛直方向における充填材強度や補強芯材強度を均一に増大させて、水平抵抗が要求される部位の剛性を上げる場合に比べて資材の無駄がなく、経済的である。
【００１２】
従って、山留め壁を建物の水平抵抗材として考慮した経済的な設計が可能となり、山留め壁の内側に、建物の杭基礎となる場所打ち杭を造成する場合には、杭の鉄筋量の低減が可能となり、ＰＣ杭を打設する場合には、杭種の変更（例えばＣ種からＢ種への変更）が可能になる。
【発明を実施するための最良の形態】
【００１３】
図１〜図３は、本発明に係る山留め壁の補強方法の一例を示す。図１において、Ａは掘削孔１に充填した充填材の強度発現前に、掘削孔１に補強芯材としてのＨ型鋼２を挿入して構築される柱列式の山留め壁を示し、Ｂは地下階を有する建物を示す。この山留め壁Ａは、鉛直方向における複数部位のうち、図１の右側に地震時の水平力による曲げモーメント図Ｍを記載したように、水平抵抗が要求される部位に、充填材として高強度充填材（この例では高強度ソイルセメント）３ｂを用い、一般部には、充填材として低強度充填材（この例では通常のソイルセメント）３ａを用いて、水平抵抗が要求される部位の剛性を上げた点に特徴がある。
【００１４】
通常のソイルセメント（低強度充填材３ａ）は、一般的なソイルセメント柱列山留め壁に使用されるソイルセメントと同じであり、圧縮強度は概ね５〜１０ｋｇ／ｃｍ２程度である。高強度ソイルセメント（高強度充填材３ｂ）は、減水剤の添加による水セメント比の調整や骨材となる土壌の選定などによって強度を３〜４倍に高めたもので、高強度ソイルセメントの圧縮強度は概ね１５〜４０ｋｇ／ｃｍ２である。高強度ユニットと低強度ユニットを交互に配置すれば、通常の掘削機での施工が可能であるので、高強度充填物強度を更に高めることができる。
【００１５】
具体的には、図２の（Ａ）に示すように、オーガヘッド４と攪拌翼５を備えた中空の回転軸６を、先端から低強度充填材用のセメントミルクａを注入しつつ引き抜くことにより、掘削孔１内で土壌とセメントミルクａを混合攪拌して、通常のソイルセメント（低強度充填材３ａ）の柱体を造成し、通常のソイルセメントの柱体が所定高さに達したら、図２の（Ｂ）に示すように、回転軸６の先端から注入するセメントミルクａを高強度充填材用のセメントミルクｂに切り替えて、当該セメントミルクｂと土壌を掘削孔１内で混合攪拌し、高強度ソイルセメント（高強度充填材３ｂ）の柱体を造成する。
【００１６】
そして、高強度ソイルセメント（高強度充填材３ｂ）の柱体が所定高さに達したら、図２の（Ｃ）に示すように、再び、低強度充填材用のセメントミルクａに切り替えて、当該セメントミルクａと土壌を掘削孔１内で混合攪拌して、通常のソイルセメント（低強度充填材３ａ）の柱体を造成し、これらの通常のソイルセメント（低強度充填材３ａ）及び高強度ソイルセメント（高強度充填材３ｂ）に強度が発現する前に、掘削孔１に、一つ置きに補強芯材としてのＨ型鋼２を挿入して、ソイルセメント柱列式の山留め壁Ａを構築し、ソイルセメントの強度発現後、山留め壁Ａの内側地盤を高強度ソイルセメント（高強度充填材３ｂ）の柱体の天端を含む所定深度まで掘削して、図１に示した建物Ｂを構築するのである。
【００１７】
上記の構成によれば、山留め壁Ａの鉛直方向における複数部位のうち、水平抵抗が要求される部位にだけ高強度ソイルセメントを用い、一般部には通常のソイルセメントを用いて、水平抵抗が要求される部位の剛性を上げるので、山留め壁Ａの鉛直方向における充填材強度や補強芯材強度を均一に増大させて、水平抵抗が要求される部位の剛性を上げる場合に比べて資材の無駄がなく、経済的である。
【００１８】
従って、山留め壁Ａを建物Ｂの水平抵抗材として考慮した経済的な設計が可能となり、山留め壁Ａの内側に、建物Ｂの杭基礎となる場所打ち杭を造成する場合には、杭の鉄筋量の低減が可能となり、ＰＣ杭を打設する場合には、杭種の変更（例えばＣ種からＢ種への変更）が可能になる。
【００１９】
図３、図４は、本発明の他の実施形態を示し、山留め壁Ａの鉛直方向における複数部位のうち、水平抵抗が要求される部位に充填される高強度充填材３ｂとしてコンクリートを用い、一般部に充填される低強度充填材３ａとして通常のソイルセメントを用いた点に特徴がある。Ｂは地下階を有する建物、２は通常のソイルセメントやコンクリートの強度発現前に、掘削孔１に挿入された補強芯材としてのＨ型鋼である。
【００２０】
コンクリートの充填作業は、図２に示した回転軸６を利用し、注入するセメントミルクｂをコンクリートに切り替えて行ってもよいが、攪拌翼５による混合攪拌が不要なため、一旦、回転軸６を引抜き回収し、トレミー管を用いて行ってもよい。
【００２１】
上記のコンクリートは無筋でもよいが、図示の例では、コンクリートにだけ補強鉄筋７を埋設して、当該補強鉄筋７と、通常のソイルセメントとコンクリートとにわたって挿入された補強芯材としてのＨ型鋼２とによりコンクリートを補強したＳＲＣ造としてある。
【００２２】
これは、図４に示すように、掘削孔１内に充填した通常のソイルセメント（低強度充填材３ａ）やコンクリート（高強度充填材３ｂ）に強度が発現する前に、予め長手方向の所定位置に支持鉄筋８を介して補強鉄筋７が取り付けられたＨ型鋼２を掘削孔１に挿入することによって施工される。
【００２３】
補強鉄筋７が取り付けられたＨ型鋼２は、図５に示すように、掘削孔１の一つ置きに挿入してもよく、多軸掘削機（例えば３軸掘削機）で掘削孔１を掘削形成する場合は、図６
に示すように、複数（例えば３本）の掘削孔１にわたる長さの補強鉄筋７が取り付けられたＨ型鋼２を挿入してもよい。また、図７に示すように、Ｈ型鋼２を挿入しない掘削孔１のコンクリートに、別の鉄筋籠９を挿入して、このコンクリート部分をＲＣ造としてもよい。この場合、鉄筋籠９を吊り込むための鉄筋が必要であり、コンクリートの上方に位置する通常のソイルセメントにも、例えば、鉄筋籠９を吊り込むのに必要な最少本数の鉄筋が埋設されることになる。
【００２４】
尚、上述した実施形態では、何れも柱列式の山留め壁Ａを例にあげて、本発明を説明したが、掘削孔に充填した充填材の強度発現前に、掘削孔に補強芯材として親杭（Ｈ型鋼）を挿入し、強度発現後、内側地盤を掘削しつつ親杭間に横矢板を挿入して構築される親杭横矢板式の山留め壁やソイルセメント連続地下壁にも、本発明は適用可能である。
【図面の簡単な説明】
【００２５】
【図１】本発明に山留め壁の補強方法を説明する概略縦断面図である。
【図２】山留め壁の構築方法を説明する概略縦断面図である。
【図３】本発明の他の実施形態を説明する概略縦断面図である。
【図４】山留め壁の構築方法を説明する概略縦断面図である。
【図５】高強度充填材としてコンクリートを用いた山留め壁の横断平面図である。
【図６】高強度充填材としてコンクリートを用いた山留め壁の横断平面図である。
【図７】高強度充填材としてコンクリートを用いた山留め壁の横断平面図である。
【符号の説明】
【００２６】
１  掘削孔
２  補強芯材
３ａ  低強度充填材（通常のソイルセメント）
３ｂ  高強度充填材（高強度ソイルセメント、コンクリート等）
【図１】
2005282043.tif 000003
【図２】
2005282043.tif 000004
【図３】
2005282043.tif 000005
【図４】
2005282043.tif 000006
【図５】
2005282043.tif 000007
【図６】
2005282043.tif 000008
【図７】
2005282043.tif 000009